(57)【要約】【課題】戸袋下部の強度低下を防止しながらも、戸袋空間内の清掃性を向上し得るとともに、戸袋下部の見栄えを向上し得る巾木部材を提供する。【解決手段】巾木部材１は、引戸２を収納する戸袋空間３を区画する壁材４の下端部４ａに沿って配設され、該下端部を支持する受部２１を有するとともに、前記壁材の厚さ方向と同方向に沿って貫通した開口部２２ａを設けた巾木受部２０と、前記開口部を開閉可能なように設けられ、かつ該開口部を閉塞した状態において該巾木受部の表面側を覆うように配置される巾木本体部１０とを備えている。【選択図】図１
2011169079.tif 000002
【特許請求の範囲】
【請求項１】
引戸を収納する戸袋空間を区画する壁材の下端部に沿って配設され、該下端部を支持する受部を有するとともに、前記壁材の厚さ方向と同方向に沿って貫通した開口部を設けた巾木受部と、
前記開口部を開閉可能なように設けられ、かつ該開口部を閉塞した状態において該巾木受部の表面側を覆うように配置される巾木本体部とを備えていることを特徴とする巾木部材。
【請求項２】
請求項１において、
前記巾木本体部は、平板状の外郭形状とされるとともに、前記開口部を閉塞した状態において、その裏面が前記壁材の表面と概ね同一平面状となるように配置されることを特徴とする巾木部材。
【請求項３】
請求項１または２において、
前記開口部は、前記巾木受部の長手方向に沿って間隔を空けて複数箇所に設けられていることを特徴とする巾木部材。
【請求項４】
請求項１乃至３のいずれか１項において、
前記巾木本体部は、ヒンジ部を介して前記巾木受部に対して回動自在に連結されていることを特徴とする巾木部材。
【請求項５】
請求項１乃至３のいずれか１項において、
前記巾木受部の表面側、及び前記巾木本体部の裏面側には、互いに係合する係合部がそれぞれ設けられており、これらを係合させることで、前記巾木本体部が前記巾木受部に対して着脱自在に取り付けられる構造とされていることを特徴とする巾木部材。
【発明の詳細な説明】
【技術分野】
【０００１】
本発明は、戸袋下部に沿って配設される巾木部材に関する。
【背景技術】
【０００２】
従来の引戸の納め構造としては、引戸の戸尻側に引き込み用の控え壁を設けた控え壁納めや、控え壁を設けずに、壁面の手前に沿って納めるアウトセット納めが一般的である。
このような引戸の納め構造では、引戸が納められる空間側の壁面に手摺りを設けたい場合など、該壁面を有効利用することができず、このため、引戸を収納する戸袋空間を壁厚内に設けた戸袋納めを採用することが考えられる。
このような戸袋納め構造では、引戸を引き込む戸袋口の隙間等から埃等が侵入し、戸袋空間内には埃等が溜まり易い。この戸袋空間内を清掃する際には、引戸を戸枠から取り外して戸袋口から清掃具を挿入して清掃するなど、面倒な作業となり、清掃性の改善が望まれていた。
【０００３】
下記特許文献１では、戸袋の下部に、長手方向に沿って開口部を設け、この開口部を閉塞する巾木を、戸袋の入口側または奥側の縦枠に丁番を介して開閉自在に取り付けた構造とされた引戸装置が提案されている。
また、下記特許文献２では、開閉体が収納される戸袋に、戸袋内部と戸袋外部とを連通させて戸袋内部のごみ等を排出可能とするごみ等排出部を設けた戸袋のごみ等排出構造が提案されている。
このごみ等排出構造は、戸袋の外面下部の幅木となる立上部を有する下枠にごみ等排出部としての開口部と、該開口部を開閉するための蓋とを設けた構造とされている。また、該蓋は、該開口部に対してスライド移動またはヒンジを中心に回動させることで該開口部を開閉する構造とされている。
【先行技術文献】
【特許文献】
【０００４】
【特許文献１】特開２００５−１８００１３号公報（図１及び図２参照）
【特許文献２】特開２００９−１６７７９５号公報（図１及び図４参照）
【発明の概要】
【発明が解決しようとする課題】
【０００５】
しかしながら、上記特許文献１に記載された引戸装置では、引戸を収納する戸袋下部に、長手方向に沿って開口部が形成されるため、該下部の強度が低くなることが考えられる。
また、上記特許文献２に記載されたごみ等排出構造では、戸袋の外面形成部材を支持する下枠に開口部を設け、この開口部にスライド蓋や開閉蓋を設け、これら蓋によって該開口部を開閉する構造とされている。従って、これら開口部の周縁及び蓋が、戸袋の外面下部で露出し、これらが設けられていない部位との違和感が生じ、見栄えが悪いという問題があった。
【０００６】
本発明は、上記実情に鑑みなされたものであり、戸袋下部の強度低下を防止しながらも、戸袋空間内の清掃性を向上し得るとともに、戸袋下部の見栄えを向上し得る巾木部材を提供することを目的としている。
【課題を解決するための手段】
【０００７】
前記目的を達成するために、本発明に係る巾木部材は、引戸を収納する戸袋空間を区画する壁材の下端部に沿って配設され、該下端部を支持する受部を有するとともに、前記壁材の厚さ方向と同方向に沿って貫通した開口部を設けた巾木受部と、前記開口部を開閉可能なように設けられ、かつ該開口部を閉塞した状態において該巾木受部の表面側を覆うように配置される巾木本体部とを備えていることを特徴とする。
【０００８】
本発明においては、前記巾木本体部を、平板状の外郭形状とし、前記開口部を閉塞した状態において、その裏面が前記壁材の表面と概ね同一平面状となるように配置されるものとしてもよい。
また、本発明においては、前記開口部を、前記巾木受部の長手方向に沿って間隔を空けて複数箇所に設けるようにしてもよい。
また、本発明においては、前記巾木本体部を、ヒンジ部を介して前記巾木受部に対して回動自在に連結してもよい。
また、本発明においては、前記巾木受部の表面側、及び前記巾木本体部の裏面側に、互いに係合する係合部をそれぞれ設け、これらを係合させることで、前記巾木本体部が前記巾木受部に対して着脱自在に取り付けられる構造としてもよい。
【発明の効果】
【０００９】
本発明に係る巾木部材は、上述のような構成としたことで、戸袋下部の強度低下を防止することができ、また、戸袋空間内の清掃性を向上させることができるとともに、戸袋下部の見栄えを向上させることができる。
【図面の簡単な説明】
【００１０】
【図１】（ａ）、（ｂ）は、いずれも本発明の一実施形態に係る巾木部材を模式的に示し、（ａ）は、図３（ａ）におけるＸ−Ｘ線矢視に対応させた一部破断概略拡大縦断面図、（ｂ）は、（ａ）に対応させた開放状態を示す図である。
【図２】同開放状態を、図３（ｂ）におけるＹ方向から見た一部破断概略拡大正面図である。
【図３】（ａ）、（ｂ）は、いずれも同巾木部材を施工した状態を模式的に示し、（ａ）は、概略正面図、（ｂ）は、（ａ）におけるＺ１−Ｚ１線矢視に対応させた一部破断概略拡大横断面図である。
【図４】（ａ）〜（ｃ）は、いずれも本発明の他の実施形態に係る巾木部材を模式的に示し、（ａ）、（ｂ）は、図１（ａ）、（ｂ）にそれぞれ対応させた一部破断概略拡大縦断面図、（ｃ）は、同巾木部材の着脱構造を模式的に示す一部破断概略斜視図である。
【図５】（ａ）〜（ｃ）は、いずれも本発明の更に他の実施形態に係る巾木部材を模式的に示し、（ａ）、（ｂ）は、図１（ａ）、（ｂ）にそれぞれ対応させた一部破断概略拡大縦断面図、（ｃ）は、同巾木部材の着脱構造を模式的に示し、（ｂ）におけるＺ２−Ｚ２線矢視に対応させた一部破断概略拡大横断面図である。
【発明を実施するための形態】
【００１１】
以下に本発明の実施の形態について、図面に基づいて説明する。
図１〜図３は、第１実施形態に係る巾木部材について説明するための説明図である。
なお、以下の各実施形態では、図３（ｂ）に示すＹ方向から見た状態を基準として、図３（ｂ）において下側を手前側とし、図３（ｂ）において上側を背面側として説明する。
また、戸袋空間を形成する各部材の表面及び裏面は、戸袋空間側の面を裏面とし、その逆を表面として説明する。
【００１２】
本実施形態では、図３に示すように、住居等の内壁に開設された出入り口としての開口６（図３（ｂ）参照）を閉塞または開放する引戸２を収納する戸袋空間３を区画する壁材４の下部（戸袋下部）に沿って、本実施形態に係る巾木部材１を配設した例を示している。
上記内壁は、図例では、床面から天井面に至るまで形成された開口６によって分断されている。
【００１３】
引戸２の戸先側（図３における右側）の内壁は、柱材や胴縁等で骨組みされた壁下地としての構造体の手前面及び背面のそれぞれに、下端部が床面７乃至は床下地材に当接して配設された壁材５，５を添設して構成されている。
この壁材５は、石膏ボードや合板捨張下地等の下地ボードの表面に、壁クロスや壁紙、その他の表面化粧材等を貼着して構成されたものとしてもよい。これら壁材５，５の下端部と床面７との入隅部には、汎用の巾木８，８が該入隅部に沿って配設されている。
この巾木８は、平板状とされ、例えば、木質系材料や合成樹脂系材料、金属系材料等から帯状に比較的長尺に形成されている。また、この巾木８は、図２に示すように、表面側部位における中央部位よりもやや上方部位に、凹溝８ａを長手方向に沿って有し、水平状の上面の表面側の縁部に、床面７側に向けて傾斜する傾斜面８ｂを長手方向に沿って有している。
上記戸先側の内壁の開口縁には、戸先側縦枠３１が柱材や飼木などの枠下地に固定されて上下方向に沿って配設されている。この戸先側縦枠３１には、引戸２の戸先側端部を受け入れる戸じゃくり溝が上下方向に沿って形成されている。
【００１４】
他方の内壁（図３における左側の内壁）は、その壁厚内に引戸２が収納される戸袋空間３を有している。
戸袋空間３は、柱材や胴縁等で骨組みされた壁下地としての構造体の背面に添設された上記同様の壁材５と、該構造体の手前面に添設された壁材４とによって、その厚さ方向（引戸２の厚さ方向と同方向）が区画されている。背面側の壁材５の下端部と床面７との入隅部には、上記同様の巾木８が配設されている。一方、手前側の壁材４は、背面側の壁材５と概ね同様の構成であるが、その下端部が、本実施形態に係る巾木部材１によって支持されている。つまり、戸袋空間３を区画する一方の壁材４の下端部は、床面７乃至は床下地材に当接しておらず、巾木部材１によって支持されている。
【００１５】
戸袋空間３の収納方向（引戸２の幅方向と同方向）の末端側（図３における左側）には、戸尻側縦枠３３が柱材や飼木などの枠下地に固定されて上下方向に沿って配設されている。この戸尻側縦枠３３の戸袋空間３側の面には、上下方向の適所に、引戸２の戸尻側端面が当接乃至は弾接するストッパー部としての緩衝体３４が設けられている。
戸袋空間３の収納方向基端側（図３における右側）には、引戸２の引込口としての戸袋口を形成するように壁厚方向（見込み方向）に空隙を隔てて一対の方立部材３２，３２が、それぞれ上下方向に沿って配設されている。これら方立部材３２，３２間に形成する見込み方向の空隙は、引戸２の厚さ並びに開閉時における引戸２の表面及び背面とのクリアランス等を考慮して設定される。
【００１６】
これら方立部材３２，３２と、上記した戸先側縦枠３１とによって開口６の幅方向（引戸２の幅方向と同方向）両側を区画し、これら方立部材３２，３２と、上記した戸尻側縦枠３３とによって戸袋空間３の収納方向両側を区画している。
図例では、戸尻側縦枠３３は、見込み方向一端部（背面側端部）が、戸袋空間３を区画する背面側の壁材５の裏面に当接乃至は近接して配置され、見込み方向他端部（手前側端部）が、手前側に露出するようにして配設されている。この戸尻側縦枠３３の見込み方向手前側端部の一方面に、戸袋空間３を区画する手前側の壁材４の側端面が当接して配置され、見込み方向手前側端部の他方面に、戸袋空間３に隣接する内壁を形成する上記同様の壁材５の側端面が当接して配置されている。この壁材５の下端部と床面７との入隅部には、上記同様の巾木８が配設されている。
【００１７】
戸先側縦枠３１の上端部及び戸尻側縦枠３３の上端部は、上枠３０の長手方向両端部にそれぞれ連結固定されている。また、一対の方立部材３２，３２の上端部は、上枠３０の長手方向略中央部の手前側及び背面側に形成された切欠部等にそれぞれ連結固定されている。
上枠３０は、図例では、横桟や飼木などの天井下地に固定されており、その下面が天井仕上げ面と略面一状となるように天井裏側に埋め込まれるようにして配設された例を示している。この上枠３０には、引戸２の上端部に取り付けられたランナー部材２ｂ，２ｂを、引戸２の幅方向に沿って走行可能に支持する走行案内部としての上吊レールが設けられている。
【００１８】
引戸２は、これら上枠３０と、戸先側縦枠３１と、戸尻側縦枠３３とを備えた戸枠に建て付けられており、引手２ａをして、その開閉がなされる。また、引戸２の下端部には、床面７に向けて開口したガイド凹溝２ｃが引戸２の幅方向に沿って形成されており、このガイド凹溝２ｃには、床面７に固定された固定ピン３５が挿入されて、引戸２の幅方向に沿う移動がガイドされる。
この引戸２は、図３（ｂ）に示すように、開口６を閉塞した状態では、戸先側端部が戸先側縦枠３１の戸じゃくり溝に納められ、戸尻側端部が一対の方立部材３２，３２の間に配置される。
【００１９】
上記のように区画された戸袋空間３は、図３（ｂ）に示すように、引戸２を建て付け施工した状態では、手前側の壁材４、背面側の壁材５、戸尻側縦枠３３、一対の方立部材３２，３２及び引戸２によって、略閉塞された状態となる。
本実施形態に係る巾木部材１は、図１に示すように、上記のように略閉塞された戸袋空間３を区画する手前側の壁材４の下端部４ａに沿って配設される巾木受部２０と、この巾木受部２０の表面側を覆うように配置される巾木本体部１０とを備えている。
【００２０】
この巾木部材１は、図２に示すように、壁材４の幅方向に沿って長尺に形成されており、例えば、木質系材料や合成樹脂系材料、金属系材料等から形成するようにしてもよい。本実施形態では、合成樹脂系材料を主材とした材料から射出成形または押出成形によって、一体的に成形されたものを例示している。
また、本実施形態では、巾木部材１の長さ寸法は、壁材４の幅寸法と略同寸法とされており、その長手方向両側端部には、方立部材３２及び戸尻側縦枠３３がそれぞれ当接乃至は近接して配置される。
つまり、この巾木部材１は、戸袋空間３を区画する一方（手前側）の戸袋壁の下部を構成している。
【００２１】
巾木受部２０は、図１及び図２に示すように、その上端部に、上方に向けて開口した凹溝状の受部２１を長手方向の全長に亘って有しており、この受部２１に、壁材４の下端部４ａが嵌め込まれる。
この受部２１の下部には、壁材４の厚さ方向略中心鉛直下方に位置するように配置される平板状の支持片部２２が鉛直下方に向けて垂れ下るように連成されている。
この支持片部２２には、壁材４の厚さ方向と同方向に沿って貫通した戸袋空間清掃用の開口部２２ａが設けられている。
【００２２】
開口部２２ａは、本実施形態では、図２に示すように、当該巾木受部２０の長手方向に沿って間隔を空けて複数箇所に設けられている。この開口部２２ａの大きさは、図１（ｂ）に示すように、掃除機等の吸い込み口やその他の各種清掃具９を挿し込み可能な大きさとすればよい。また、これら開口部２２ａを設ける箇所は、戸袋空間３内の床面などの下部を、概ね全体に亘って、清掃具９によって清掃が可能なように間隔を空けて設けるようにしてもよい。また、これら開口部２２ａを設ける間隔は、当該巾木受部２０が受ける壁材４の荷重等に応じて、巾木受部２０に座屈等の変形が生じないよう、つまり、開口部２２ａが設けられていない部位において当該巾木受部２０の強度が確保できるように設けるようにしてもよい。
【００２３】
また、支持片部２２の下端部近傍部位の表面には、水平方向手前側に向けて突出した係合部としての係合突片部２５が当該支持片部２２の長手方向の全長に亘って設けられている。この係合突片部２５の手前側上縁部には、上方に向けて突出した係止部としての係止突条２５ａが当該係合突片部２５の長手方向の全長に亘って設けられている。
また、支持片部２２の下端部には、水平方向両側（手前側及び背面側）に向けて延出した固定片部２３が当該支持片部２２の長手方向の全長に亘って連成されている。この固定片部２３の一方（例えば背面側の固定片部）または両方の長手方向の適所に、釘や木ねじ等の固定止具を打ち込み（または捻じ込み）、巾木受部２０を、床面７乃至は床下地材に固定するようにしてもよい。
【００２４】
巾木受部２０の上端部の表面側縁部には、ヒンジ部２４が設けられており、このヒンジ部２４を介して、巾木本体部１０が連結されている。本実施形態では、巾木受部２０の受部２１の手前片部の上端手前縁部にヒンジ部２４を設けている。
ヒンジ部２４は、本実施形態では、ヒンジキャップ等に採用されるヒンジ機構を例示しており、当該巾木受部２０と、巾木本体部１０とを、薄板状で折り畳み変形可能とされたヒンジ部によって一体的に連結している。なお、二色成形（異材質成形）等によって、このヒンジ部２４を、容易に弾性変形し得る軟質の合成樹脂からなるものとし、それ以外の部位を、比較的、剛性のある硬質の合成樹脂からなるものとしてもよい。
【００２５】
巾木本体部１０は、上端部の裏面側縁部に一体的に連成されたヒンジ部２４を介して、巾木受部２０に対して回動自在に連結され、巾木受部２０の開口部２２ａを開閉可能なように設けられている。
この巾木本体部１０は、図１（ａ）に示すように、開口部２２ａを閉塞した状態において巾木受部２０の表面側に添設されるようにして該表面側を覆うように配置される。一方、図１（ｂ）に示すように、ヒンジ部２４を回動支点として、下端部を手前側かつ上方側に持ち上げるようにして回動させることで、巾木受部２０の表面側が露出し、この巾木受部２０の開口部２２ａが開放される。
なお、図１（ｂ）では、巾木本体部１０が巾木受部２０に対して略直交した状態となるように９０度程度、図示反時計回りに回動した状態を示しているが、開口部２２ａを介して戸袋空間３に清掃具９の挿し込みが可能な程度、回動させるようにすればよい。
【００２６】
巾木本体部１０は、平板状の外郭形状とされており、上記した巾木８と略同高さ寸法とされ、その表面側には、上記した巾木８と同様の凹溝１１及び傾斜面１２が形成されている。つまり、この巾木本体部１０の表面側外郭形状は、上記した巾木８の表面側外郭形状と略同寸同形状とされている。この巾木本体部１０の表面側に設けられた凹溝１１を手掛部として機能させ、巾木本体部１０の回動、つまり、開口部２２ａの開閉を行うようにしてもよい。
また、この巾木本体部１０は、巾木受部２０の開口部２２ａを閉塞した状態において、当該巾木本体部１０の裏面１４が、壁材４の表面４ｂと概ね同一平面状となるように配置される。図例では、巾木本体部１０の裏面１４が、巾木受部２０の上端部に形成された凹溝状の受部２１の手前片部の厚さ寸法相当分、壁材４の表面４ｂよりも手前側に位置した例を示している。受部２１の手前片部の厚さ寸法は、数ｍｍ程度であり、このような態様も概ね同一平面状に含む。
また、巾木本体部１０の厚さ寸法は、当該巾木本体部１０の表面が、上記した隣接する他の壁材５の下端部に沿って配設された巾木８の表面と概ね同一平面状となるように、設定するようにしてもよい。
【００２７】
巾木本体部１０の下端部１３は、図１（ａ）に示すように、巾木受部２０の開口部２２ａを閉塞した状態において、床面７に近接対面するように配置される。この下端部１３の裏面側には、巾木受部２０の係合突片部２５に係合する係合部としての切欠段部１５が当該巾木本体部１０の長手方向の全長に亘って形成されている。この切欠段部１５の段天面裏面側縁部には、巾木受部２０の係合突片部２５の係止突条２５ａに係止する係止部としての係止突条１５ａが下方に向けて突出しており、この係止突条１５ａは、当該切欠段部１５の長手方向の全長に亘って設けられている。
この巾木本体部１０の係止突条１５ａが巾木受部２０の係止突条２５ａに係止し、当該巾木本体部１０による開口部２２ａの閉塞状態の維持がなされる。一方、巾木受部２０の開口部２２ａを開放させる際には、上記のように巾木本体部１０を回動させることで、巾木受部２０の係合突片部２５の弾性変形を伴って、これら係止部１５ａ，２５ａの係止状態が解除され、開放が可能となる。
【００２８】
上記構成とされた巾木部材１は、巾木受部２０の固定片部２３を床面７乃至は床下地材に固定し、壁材４の下端部４ａを巾木受部２０の受部２１に嵌め込んで、戸袋空間３を区画する壁材４の下端部４ａに沿って配設される。
このように本実施形態に係る巾木部材１を戸袋下部に配設することで、戸袋空間３内を容易に清掃することができる。
つまり、上記したように、引戸２が建て付け施工された状態では、戸袋空間３は、略閉塞された状態であり、この戸袋空間３内を清掃する際には、引戸２を上枠３０などの戸枠から取り外して戸袋口から清掃具９を挿入して清掃するなど、面倒な作業となる。
一方、本実施形態に係る巾木部材１を戸袋下部に配設することで、図１（ｂ）及び図２に示すように、巾木本体部１０を回動させ、巾木受部２０の開口部２２ａを開放させることで、これら開口部２２ａを通じて、戸袋空間３内の床面などの清掃が可能となる。
【００２９】
また、本実施形態では、戸袋空間３を清掃するための開口部２２ａを、引戸２を収納する戸袋空間３を区画する手前側の壁材４の下端部４ａに沿って配設される巾木受部２０に設けているので、この巾木受部２０によって壁材４を支持させることができ、戸袋下部の強度低下を防止することができる。
さらに、この巾木受部２０の表面側は、開口部２２ａを開閉可能なように設けられた巾木本体部１０によって覆われるので、見栄えが良い。つまり、壁材４の下部に配設されて巾木として機能する巾木本体部１０は、開口部２２ａを開閉する蓋部材、及び巾木受部２０の表面を覆う覆い部材としても機能する。従って、開口部乃至はこれを開閉する蓋を違和感なく戸袋下部に設けることができ、見栄えを向上させることができる。
【００３０】
さらにまた、本実施形態では、巾木本体部１０を、平板状の外郭形状とし、開口部２２ａを閉塞した状態において、その裏面１４が壁材４の表面４ｂと概ね同一平面状となるように配置されるものとしている。これにより、内壁を構成する他の壁材５と床面７との入隅部に沿って配設された他の巾木８と同様の外観を呈し、戸袋空間３を区画する壁材４の入隅部と、他の壁材５の入隅部との見栄えに違和感が生じず、見栄えを向上させることができる。特に、本実施形態では、巾木本体部１０の表面側外郭形状を、他の壁材５の下部に沿って配設された巾木８の表面側外郭形状と略同寸同形状とされたものとしているので、違和感をより低減することができ、より見栄えを向上させることができる。
【００３１】
また、本実施形態では、開口部２２ａを、巾木受部２０の長手方向に沿って間隔を空けて複数箇所に設けているので、壁材４の下端部４ａを支持する巾木受部２０の強度を効率的に確保しながらも、複数箇所に設けられた開口部２２ａを戸袋空間３の清掃用として利用できる。
さらに、本実施形態では、巾木本体部１０を、ヒンジ部２４を介して巾木受部２０に対して回動自在に連結しているので、例えば、巾木本体部１０を巾木受部２０から取り外す必要がある態様に比べて、簡易な操作で巾木受部２０の開口部２２ａを開閉することができる。特に、本実施形態では、上端部を回動支点として巾木本体部１０の開閉がなされる態様としているので、例えば、下端部を回動支点として開閉がなされるものと比べて、閉塞時の操作性が良い。また、例えば、長手方向一端部を回動支点として開閉がなされるものと比べて、開放時に当該巾木本体部１０が家具等に干渉し難く、操作性が良い。
【００３２】
なお、本実施形態では、巾木本体部の閉塞状態を維持するロック部として、巾木本体部の下部裏面及び巾木受部の下部表面のそれぞれに互いに係合、係止する係合部及び係止部を長手方向の全長に亘って設けた例を示しているが、長手方向の適所に設けるようにしてもよい。また、図例のような係合部及び係止部に限られず、他のロック部を採用するようにしてもよい。
または、本実施形態のように、上端部を回動支点として巾木本体部の開閉がなされる場合には、当該巾木本体部の自重によって外力の作用がない限りは閉塞状態が維持されるので、このようなロック部を設けないようにしてもよい。さらには、上端部を回動支点として巾木本体部の開閉がなされる場合には、巾木本体部の開放状態を維持するロック部を更に設けるようにしてもよい。
また、本実施形態では、他の巾木との表面形状の違和感を防止すべく、巾木本体部の開閉の際に、凹溝を手掛部として機能させた例を示しているが、このような態様に限られない。このような態様に代えて、または加えて、巾木本体部の表面側の適所に摘み部を設けたり、巾木本体部の下端部の適所に切欠を設けて、該切欠を手掛部として機能させたりするようにしてもよい。
【００３３】
さらに、巾木受部に対して巾木本体部を回動自在に連結するヒンジ部としては、上記したような薄板状の樹脂ヒンジに限られず、他の樹脂ヒンジを採用するようにしてもよく、また、ヒンジピンによって二枚の取付ハネを連結した蝶番等を採用するようにしてもよい。または、巾木受部の長手方向両側端部に、軸ピン（若しくはピン受部）を設け、巾木本体部の長手方向両側端部に、巾木受部の軸ピン（若しくはピン受部）に対応させたピン受部（若しくは軸ピン）を設け、これらによってヒンジ部を構成するようにしてもよい。
このように、ヒンジ部を介して巾木本体部と巾木受部とを一体的に形成する必要がないヒンジ部を採用した場合には、巾木本体部と巾木受部とを別材料で形成するようにしてもよい。例えば、比較的、強度の必要な巾木受部を金属系材料で形成し、巾木本体部を木質系材料若しくは合成樹脂系材料で形成するようにしてもよい。
また、巾木本体部の表面側に、化粧樹脂シートや突板などの表面化粧材を貼着したり、または塗装等を施したりしてもよい。
【００３４】
さらにまた、上端部を回動支点として巾木本体部の開閉がなされる態様に限られず、下端部若しくは長手方向一端部を回動支点として巾木本体部の開閉がなされる態様としてもよい。この場合は、ヒンジ部を下端部若しくは長手方向一端部に設けるようにすればよい。
また、本実施形態では、巾木受部の長手方向に沿って間隔を空けて複数箇所に開口部を設けた例を示しているが、長手方向に長尺の単一の開口部を設ける態様としてもよい。
さらに、図例では、巾木本体部として、中実平板状のものを例示しているが、長手方向に沿って貫通した中空を有した中空平板状のものとしてもよく、または、表面側の形状に対応させて裏面側に凹部を形成した薄板状のものとしてもよい。このような薄板状のものであっても外郭形状は平板状のものとできる。
さらにまた、本実施形態では、巾木本体部を、平板状の外郭形状とし、開口部を閉塞した状態において、その裏面が壁材の表面と概ね同一平面状となるように配置されるものを例示したが、このような態様に限られない。巾木受部の開口部を開閉可能なように設けられ、かつ該開口部を閉塞した状態において該巾木受部の表面側を概ね全体に亘って覆うように配置されるものとしてもよい。
【００３５】
さらにまた、本実施形態では、戸袋空間を区画する手前側の壁材の幅方向の全体に亘って、その下端部に沿って、単一の巾木部材を配設した態様を例示しているが、複数個の巾木部材を配設する態様としてもよい。または、単一の巾木受部に対してヒンジ部を介して複数個の巾木本体部を回動自在に連結するようにしてもよい。
また、戸袋空間を区画する手前側の壁材の幅方向の全体に亘って、巾木部材を配設する態様に限られない。例えば、塵埃等が溜まり易く、特に清掃し難い、戸袋空間の収納方向末端側近傍部位のみに設けたり、この末端側近傍部位と上記基端側近傍部位とに分断して複数の巾木部材を配設したりしてもよい。
さらに、本実施形態では、戸袋空間を区画する手前側の壁材の下端部に、巾木部材を配設した態様を例示しているが、戸袋空間を区画する手前側及び背面側の各壁材の下端部に、本実施形態に係る巾木部材をそれぞれ配設するようにしてもよい。この場合は、背面側の壁材の寸法を適宜寸法とすればよい。
【００３６】
さらにまた、図例では、巾木部材によって支持される壁材として、天井面に至るまでの高さ寸法とされたものを例示しているが、このような態様に限られない。例えば、上枠によって戸袋空間を区画する壁材が途中部位で分断されたようなものにも適用可能である。
また、図例では、戸袋空間を区画する手前側の壁材が、戸尻側縦枠によって分断されたものを例示しているが、このような態様に限られない。例えば、戸尻側縦枠を、戸袋空間内、つまり、壁厚内に配置し、その手前側に一連の壁材が設けられたものとしてもよい。この場合は、当該壁材の戸袋空間に相当する部位の下端部に、巾木部材に対応させた切欠部を設けるようにしてもよい。
【００３７】
次に、本発明に係る他の実施の形態について、図面を参照しながら説明する。
図４は、第２実施形態に係る巾木部材について説明するための説明図である。
なお、上記第１実施形態との相違点について主に説明し、同様の構成については、同一符号を付し、その説明を省略または簡略に説明する。
また、図４（ｃ）では、上記した方立部材の図示を省略している。
【００３８】
本実施形態に係る巾木部材１Ａは、巾木本体部１０Ａと、巾木受部２０Ａとの連結態様が上記第１実施形態に係る巾木部材１とは主に異なる。本実施形態では、これら、巾木本体部１０Ａ及び巾木受部２０Ａのそれぞれに互いに係合する係合部を設け、巾木本体部１０Ａを巾木受部２０Ａに対して着脱自在に取り付ける態様としている。
巾木受部２０Ａの支持片部２２の表面側上端部には、手前側に向けて突出し、その手前側端部を下方に向けて屈曲させたような下方屈曲形状の鉤状係合部２６が当該巾木受部２０Ａの長手方向に沿って設けられている。
巾木受部２０Ａの支持片部２２の表面側下端部には、鉤状係合部２６に対向するように、手前側に向けて突出し、その手前側端部を上方に向けて屈曲させたような上方屈曲形状の鉤状係合部２７が当該巾木受部２０Ａの長手方向に沿って設けられている。
これら上下の鉤状係合部２６，２７によって巾木受部２０Ａの係合部を構成している。
【００３９】
巾木本体部１０Ａは、軟質の合成樹脂系材料若しくは天然ゴムや合成ゴム、合成樹脂エラストマーなどのエラストマー系材料などから形成されており、可撓性乃至は弾性を有している。
巾木本体部１０Ａの裏面側の上端部近傍部位には、巾木受部２０Ａの上側の鉤状係合部２６に係合する上方屈曲形状の鉤状係合部１６が当該巾木本体部１０Ａの長手方向に沿って設けられている。
巾木本体部１０Ａの裏面側の下端部近傍部位には、巾木受部２０Ａの下側の鉤状係合部２７に係合する下方屈曲形状の鉤状係合部１７が当該巾木本体部１０Ａの長手方向に沿って設けられている。
これら上下の鉤状係合部１６，１７によって巾木本体部１０Ａの係合部を構成している。
なお、これら巾木本体部１０Ａの鉤状係合部１６及び鉤状係合部１７と、巾木受部２０Ａの鉤状係合部２６及び鉤状係合部２７とを、それぞれ逆に設けるようにしてもよい。
【００４０】
巾木本体部１０Ａの下端部１３Ａには、不陸調整部材１３ｂが設けられている。
この不陸調整部材１３ｂは、床面７側に向けて突湾曲状に屈曲するような断面鉤状乃至は断面舌片状の形状とされた弾性片を有している。この弾性片は、例えば、比較的、軟質で弾性を有したゴムや軟質合成樹脂等のエラストマー系樹脂材料から形成されており、弾性変形を伴い、床面７に当接乃至は弾接し、床面７の不陸を吸収する。
この不陸調整部材１３ｂは、例えば、巾木本体部１０Ａの下端部１３Ａに設けられた下方に向けて開口する凹溝１３ａに、板状の挿入片などを圧入することで、巾木本体部１０Ａの下端部１３Ａに取り付けるようにしてもよい。
【００４１】
上記構成とされた巾木本体部１０Ａは、壁材４の下端部４ａを支持し、床面７に固定された巾木受部２０Ａに対して着脱自在に取り付けられる。
この巾木本体部１０Ａを、巾木受部２０Ａから取り外す際には、図４（ｃ）に示すように、互いに係合状態とされた巾木本体部１０Ａ及び巾木受部２０Ａの鉤状係合部に沿って長手方向にスライドさせることで、取り外すようにしてもよい。この際、巾木本体部１０Ａの長手方向一端部を手前側に引くようにして、当該巾木本体部１０Ａの弾性変形を伴って屈曲させ、スライドさせながら取り外すようにしてもよい。なお、この場合、巾木本体部１０Ａ及び巾木受部２０Ａの各鉤状係合部を長手方向の全長に亘って設けずに、長手方向一端部には設けないようにしてもよい。これによれば、容易に取り外すことができる。
このように巾木本体部１０Ａを巾木受部２０Ａから取り外すことで、図４（ｂ）、（ｃ）に示すように、巾木受部２０Ａの開口部２２ａが開放され、上記第１実施形態と同様、この開口部２２ａを通じて戸袋空間３内の清掃を容易に行うことができる。
【００４２】
一方、巾木本体部１０Ａを巾木受部２０Ａに対して取り付ける際には、巾木本体部１０Ａの鉤状係合部１６，１７の長手方向他端部を巾木受部２０Ａの鉤状係合部２６，２７の長手方向一端部に係合させる。そして、上記同様、巾木本体部１０Ａの弾性変形を伴って、長手方向に沿ってスライドさせながら、これら鉤状係合部１６，１７，２６，２７を係合させ、取り付けるようにしてもよい。
【００４３】
上記構成とされた本実施形態に係る巾木部材１Ａによれば、上記第１実施形態と概ね同様の効果を奏する。
また、本実施形態では、巾木受部１０Ａの表面側、及び巾木本体部２０Ａの裏面側に、互いに係合する係合部をそれぞれ設け、これらを係合させることで、巾木本体部１０Ａが巾木受部２０Ａに対して着脱自在に取り付けられる構造としている。従って、巾木本体部１０Ａを巾木受部２０Ａから完全に脱離させることができ、戸袋空間３内を清掃する際に、例えば、上記第１実施形態と比べて、巾木本体部１０Ａが邪魔になるようなことを低減できる。このように、巾木本体部１０Ａを巾木受部２０Ａから完全に脱離させることができるので、例えば、巾木本体部１０Ａの清掃も容易に行うことができる。
【００４４】
さらに、本実施形態では、巾木本体部１０Ａの下端部１３Ａに不陸調整部材１３ｂ設けている。これにより、巾木本体部１０Ａを巾木受部２０Ａに取り付けた状態、つまり、開口部２２ａを閉塞した状態では、巾木本体部１０Ａの下端部１３Ａと床面７との間に隙間が形成され難く、戸袋空間３内への塵埃等の侵入を防止することができる。
なお、このような不陸調整部材１３ｂを、上記第１実施形態に係る巾木部材１の巾木本体部１０の下端部１３に設けるようにしてもよい。
【００４５】
また、本実施形態では、巾木本体部及び巾木受部の係合部を、それぞれ鉤状の係合部とし、長手方向にスライド係合させる態様を例示しているが、壁厚方向に沿って互いに係合する係合部をそれぞれに設けるようにしてもよい。例えば、上記第１実施形態と同様の係止突条を有した係合突片部を巾木本体部及び巾木受部のそれぞれに互いに係合、係止し得るように設けるようにしてもよい。
さらに、本実施形態では、単一の巾木受部に対して単一の巾木本体部を着脱自在に取り付ける態様とした例を示しているが、単一の巾木受部に対して複数個の巾木本体部を着脱自在に取り付ける態様としてもよい。または、複数の巾木受部に対して単一の巾木本体部を着脱自在に取り付ける態様としてもよい。
【００４６】
次に、本発明に係る更に他の実施の形態について、図面を参照しながら説明する。
図５は、第３実施形態に係る巾木部材について説明するための説明図である。
なお、上記第１実施形態乃至は第２実施形態との相違点について主に説明し、同様の構成については、同一符号を付し、その説明を省略または簡略に説明する。
【００４７】
本実施形態に係る巾木部材１Ｂは、巾木本体部１０Ｂを巾木受部２０Ｂに対して上下方向に沿ってスライド係合させることで着脱自在に取り付ける態様としている。
巾木受部２０Ｂは、図５（ｃ）に示すように、支持片部２２の開口部２２ａ両側近傍の表面側に、手前側に向けて突出し、互いに対向する方向へ屈曲された係合部としての一対の鉤状係合部２８，２８を上下方向に沿って設けている。これら鉤状係合部２８，２８は、支持片部２２の上下方向の全長に亘って設けられておらず、支持片部２２の上下方向の略中央部位から下側部位に設けられている。
【００４８】
巾木本体部１０Ｂは、本実施形態では、図５（ｃ）に示すように、複数個を単一の巾木受部２０Ｂに対して着脱自在に取り付ける態様としている。例えば、巾木受部２０Ｂの長手方向に沿って間隔を空けて複数箇所に設けられた開口部２２ａ毎に対応させて複数個の巾木本体部１０Ｂを設けるようにしてもよい。
各巾木本体部１０Ｂは、その裏面側に、巾木受部２０Ｂの一対の鉤状係合部２８，２８に上下方向に沿ってスライド係合する係合部としての一対の鉤状係合部１８，１８を設けている。これら一対の鉤状係合部１８，１８は、巾木受部２０Ｂの一対の鉤状係合部２８，２８に対応させて、当該巾木本体部１０Ｂの上下方向の全長に亘って設けられておらず、上下方向の略中央部位から下側部位に設けられている。
また、巾木本体部１０Ｂの上端部には、巾木受部２０Ｂの受部２１の手前片部の上面を覆う突片部１９が背面側に向けて突出するようにして当該巾木本体部１０Ｂの長手方向の全長に亘って設けられている。
なお、これら巾木本体部１０Ｂの鉤状係合部１８，１８と、巾木受部２０Ｂの鉤状係合部２８，２８とを、それぞれ逆に設けるようにしてもよい。
【００４９】
上記構成とされた巾木本体部１０Ｂは、壁材４の下端部４ａを支持し、床面７に固定された巾木受部２０Ｂに対して着脱自在に取り付けられる。
この巾木本体部１０Ｂを、巾木受部２０Ｂから取り外す際には、互いに係合状態とされた巾木本体部１０Ｂ及び巾木受部２０Ｂの鉤状係合部に沿って巾木本体部１０Ｂを上方にスライドさせて係合を解除させ、手前側に移動させることで、取り外すようにしてもよい。
このように巾木本体部１０Ｂを巾木受部２０Ｂから取り外すことで、図５（ｂ）、（ｃ）に示すように、巾木受部２０Ｂの開口部２２ａが開放され、上記第１実施形態と同様、この開口部２２ａを通じて戸袋空間３内の清掃を容易に行うことができる。
【００５０】
一方、巾木本体部１０Ｂを巾木受部２０Ｂに対して取り付ける際には、上記とは逆に、巾木本体部１０Ｂの一対の鉤状係合部１８，１８を、巾木受部２０Ｂの一対の鉤状係合部２８，２８の上方に整合させるようにして配置する。そして、巾木本体部１０Ｂ及び巾木受部２０Ｂの鉤状係合部に沿って巾木本体部１０Ｂを下方にスライドさせて、これら鉤状係合部１８，１８，２８，２８を係合させ、取り付けるようにしてもよい。
【００５１】
上記構成とされた本実施形態に係る巾木部材１Ｂによれば、上記第２実施形態と概ね同様の効果を奏する。
また、本実施形態では、巾木本体部１０Ｂ及び巾木受部２０Ｂのそれぞれに設けられた係合部を、上下方向に沿って互いに係合するものとしているので、巾木本体部１０Ｂの着脱時における操作性をより向上させることができる。
さらに、本実施形態では、巾木本体部１０Ｂの裏面側上端部に、巾木受部２０Ｂの受部２１の手前片部の上面を覆う突片部１９を設けているので、巾木本体部１０Ｂを取り付けた状態では、この手前片部の上面が露出せず、見栄えを向上させることができる。
なお、この突片部１９を、上記第２実施形態に係る巾木部材１Ａの巾木本体部１０Ａの上端部に設けるようにしてもよい。
【００５２】
また、本実施形態では、単一の巾木受部に対して複数個の巾木本体部を着脱自在に取り付ける態様としたが、上記第２実施形態と同様、単一の巾木受部に対して単一の巾木本体部を着脱自在に取り付ける態様としてもよい。または、複数の巾木受部に対して単一の巾木本体部を着脱自在に取り付ける態様としてもよい。
さらに、本実施形態に係る巾木受部に対する巾木本体部の着脱構造（上下方向スライド着脱構造）と、上記第２実施形態において説明した着脱構造（長手方向スライド着脱構造）とを組み合わせるようにしてもよい。これにより、例えば、上下方向スライド着脱構造を採用した部位の巾木本体部を取り外し、次いで、長手方向スライド着脱構造を採用した部位の巾木本体部を取り外すことができ、容易に着脱させることができる。
【００５３】
さらにまた、上記各実施形態では、巾木本体部と巾木受部とを、ヒンジ部で連結、または互いに係合する係合部で着脱自在に連結した例を示しているが、このような態様に限られない。例えば、巾木本体部の裏面及び巾木受部の表面の一方に磁石を設け、他方の対応させた部位に、該磁石が吸着する金属系材料で形成された吸着部を設けるようにしてもよい。このような態様によっても、巾木受部の開口部を開閉可能とし、かつ該開口部を閉塞した状態において該巾木受部の表面側を覆うように巾木本体部を配置することができる。
また、これら磁石及び吸着部を、上記第１実施形態において説明したロック部として、上記第１実施形態に係る巾木部材に設けるようにしてもよい。
【符号の説明】
【００５４】
１，１Ａ，１Ｂ        巾木部材
２                    引戸
３                    戸袋空間
４                    壁材
４ａ                  壁材の下端部
４ｂ                  壁材の表面
１０，１０Ａ，１０Ｂ  巾木本体部
１４                  巾木本体部の裏面
１６，１７，１８      鉤状係合部（係合部）
２０，２０Ａ，２０Ｂ  巾木受部
２１                  受部
２２ａ                開口部
２４                  ヒンジ部
２６，２７，２８      鉤状係合部（係合部）
【図１】
2011169079.tif 000003
【図２】
2011169079.tif 000004
【図３】
2011169079.tif 000005
【図４】
2011169079.tif 000006
【図５】
2011169079.tif 000007